(57)【要約】【課題】断熱材の厚みを変更しても支障なく対応できる断熱ボードの止めねじを提供する。【解決手段】断熱材７が硬質面材８に積層された断熱ボード６を建築構造材の柱９や間柱１０に固定するのに用いられる止めねじにおいて、ねじ頭部２と先端側のらせん状のねじが形成されたねじ部３との間に、ナット螺合用ねじ部４が形成されこのナット螺合用ねじ部４にダブルナット５を螺合した構成とし、またはスリーブ１６をねじ頭部２とねじ部４との間に挿着した構成したものである。【選択図】　　　　図２
2004060181.tif 000002
【特許請求の範囲】
【請求項１】
断熱材が硬質面材に積層された断熱ボードを建築構造材に固定するのに用いられる止めねじにおいて、
ねじ頭部と先端側のらせん状のねじが形成されたねじ部との間に、ナット螺合用ねじ部が形成され、このナット螺合用ねじ部にダブルナットを螺合したことを特徴とする断熱ボードの止めねじ。
【請求項２】
断熱材が硬質面材に積層された断熱ボードを建築構造材に固定するのに用いられる止めねじにおいて、
ねじ頭部と先端側のらせん状のねじが形成されたねじ部との間に、螺合用ねじ部が形成され、このナット螺合用ねじ部にナットを螺合し、しかもねじ頭部と螺合用ねじ部との間に断熱の厚みに対応させるスリーブを挿着したことを特徴とする断熱ボードの止めねじ。
【発明の詳細な説明】
【０００１】
【発明の属する技術分野】
本発明は、断熱ボードを建築構造材に固定するのに用いられる止めねじに関する。
【０００２】
【従来の技術】
軟質の断熱材に硬質面材が積層された断熱ボードを柱や間柱などの建築構造材に固定するには、従来、特開平８−４９３１７号の公報に記載される二段ヘッド釘や特開平１１−１４１００２号の公報に記載される二段ねじなどが用いられている。
【０００３】
上記二段ヘッド釘２１は、図４に示すように軟質の断熱材の厚みに対応する上下二段のヘッド２２，２３を有しており、断熱材側から建築構造材に釘打ちされた二段ヘッド釘２１は、下段ヘッド２３によって硬質面材が建築構造材に固定されるようになっている。
【０００４】
また、上記二段ねじ２４は、図５に示すようにねじ頭部２５と先端側のらせん状のねじが形成されたねじ部２６との間に、断熱材の厚みに対応した間隔で固定頭部２７が形成されており、断熱材側から建築構造材にねじ込まれた二段ねじ２４は、固定頭部２７によって硬質面材が建築構造材にねじ止め固定されるようになっていてる。
【０００５】
【発明が解決しようとする課題】
しかしながら従来の二段ヘッド釘２１や二段ねじ２４では、断熱材の厚みに対応した位置に下段ヘッド２３や固定頭部２７が形成されているため、断熱材の厚みを変更しようとすると、下段ヘッドや固定頭部の形成位置の異なる二段ヘッド釘や二段ねじを別途用意しなければならないという問題があった。
【０００６】
本発明は、このような従来の技術が有する課題を解決するために提案されたものであり、断熱材の厚みを変更しても支障なく対応できる断熱ボードの止めねじを提供することを目的とする。
【０００７】
【課題を解決するための手段】
この目的を達成するために本発明は、断熱材が硬質面材に積層された断熱ボードを建築構造材に固定するのに用いられる止めねじにおいて、ねじ頭部と先端側のらせん状のねじが形成されたねじ部との間に、ナット螺合用ねじ部が形成されこのナット螺合用ねじ部にダブルナットを螺合した構成としてある。
【０００８】
また、本発明は、断熱材が硬質面材に積層された断熱ボードを建築構造材に固定するのに用いられる止めねじにおいて、ねじ頭部と先端側のらせん状のねじが形成されたねじ部との間に、このねじ部とは逆ねじのナット螺合用ねじ部が形成され、このナット螺合用ねじ部にナットを螺合した構成としてある。
【０００９】
【発明の実施の形態】
以下、本発明の実施の形態を図面に基づき詳細に説明する。
図１に、本発明による断熱ボードの止めねじの一実施形態を示す。この図で、この止めねじ１では、ねじ頭部２と先端側のらせん状のねじが形成されたねじ部３との間に、ナット螺合用ねじ部４が形成されており、このねじ部４にダブルナット５が螺合している。
【００１０】
このように構成される止めねじ１では、ねじ頭部２とダブルナット５の間隔ｈが、断熱ボードの断熱材の厚みに対応するように、ダブルナット５を回してダブルナット５の位置を調整できる。
【００１１】
つぎに、この止めねじを用いて断熱ボードを硬質面材に固定する方法を図２に基づき説明する。
ここで、断熱ボード６は軟質の断熱材７が硬質面材８に接着積層した構造をなしている。断熱材７としては、ポリウレタンやポリスチレンなどの合成樹脂フォームからなり、硬質面材８は、合成樹脂板、合板、石膏板などからなる。
【００１２】
この断熱ボード６は、硬質面材８を建築構造材の柱９や間柱１０の屋外側に密着させて、止めねじ１を電動工具を用いて断熱材７の屋外側から締め付けると、ダブルナット５の下面が硬質面材８に当接して硬質面材８が建築構造材に固定される。
【００１３】
このとき、止めねじ１のねじ頭部２とダブルナット５の間隔ｈが断熱材７の厚みに対応するように調整されているので、ダブルナット５によって硬質面材８を固定した状態では、ねじ頭部２が断熱材７の屋外側の表面と同一面になる。
また、電動工具により止めねじ１を締め付ける際は、下段頭部をなすナットがダブルナット５となっているので、ナット部に緩みが生じる心配がない。
【００１４】
つぎに、他の実施形態の止めねじを図３に基づき説明する。
この止めねじ１では、ねじ頭部１２と先端側のらせん状のねじが形成されているねじ部１３との間に、ナット螺合用ねじ部１４が形成されており、このねじ部１４にナット１５が螺合している。しかもねじ頭部１２とナット１５との間には所定長さのスリーブ１６が挿着されている。前記スリーブ１６の長さＨはナット１５と協働して断熱材の厚さｈに対応する長さに形成されている。
【００１５】
このように構成される止めねじ１１では、ねじ頭部１２とナット１５の間隔ｈが断熱ボードの断熱材の厚みに対応するようにナット１５をねじ頭部方向に回して調整する。
この止めねじ１を用いて断熱ボードを建築構造材に固定するにあたっては、止めねじ１を電動工具を用いて締め付けるときに、下段頭部をなすナット１５ねじ部１４に対してねじ頭部方向に移動するように螺合しているので、ナットに緩みが生じることはない。
【００１６】
【発明の効果】
以上説明したように本発明の請求項１に対応する止めねじによれば、ねじ頭部と先端側のらせん状のねじ部との間に螺合するダブルナットの位置を変えることにより、断熱ボードの断熱材の厚みに応じて、ねじ頭部とダブルナットとの間隔を調整することができるという利点がある。
【００１７】
また、請求項２に対応する止めねじによれば、ねじ頭部と先端側のらせん状のねじ部との間のスリーブ１６の長さを断熱材の厚さに対応させて変えることにより断熱材の厚みに応じて、ねじ頭部とナットとの間隔を調整できるという利点がある。
【図面の簡単な説明】
【図１】本発明による止めねじの一実施形態を示す正面図である。
【図２】上記止めねじを用いて断熱ボードを固定した状態を示す断面図である。
【図３】他の実施形態の止めねじを示す正面図である。
【図４】従来の二段ヘッド釘を示す正面図である。
【図５】従来の二段ねじを示す正面図である。
【符号の説明】
１　止めねじ
２，１２　ねじ頭部
３，１３　ねじ部
４，１４　ナット螺合用ねじ部
５　　ダブルナット
６　断熱ボード
７　断熱材
８　硬質面材
９　柱
１０　間柱
１５　ナット
１６　スリーブ
【図１】
2004060181.tif 000003
【図２】
2004060181.tif 000004
【図３】
2004060181.tif 000005
【図４】
2004060181.tif 000006
【図５】
2004060181.tif 000007